(57)【要約】【課題】軸状の相手部材の上昇、下降の操作フィーリングを向上させると共に、耐久性を向上させる。【解決手段】軸状の相手部材６との対向部位に軸方向と交差するテーパ手段７が設けられたベース２と、相手部材６とテーパ手段７とに圧接状態で挟まれることにより相手部材６とベース２との相対移動を摩擦力によってロックするロック駒３と、ロック駒３を圧接方向に付勢する弾性部材４とを備える。ロック駒３は相手部材６の一方向への相対移動で摩擦力が増大して当該移動に追随して回転し、反対方向への相対移動で摩擦力低減方向に移動する。【選択図】図１
2005180491.tif 000002
【特許請求の範囲】
【請求項１】
軸状の相手部材とベースとの間にロック駒が圧接状態で挟まれることにより相手部材とベースとの相対移動がロック駒の摩擦力によってロックされ、相手部材の一方向への相対移動により前記摩擦力が増大してロック駒が回転し、反対方向への相対移動により摩擦力低減方向にロック駒が移動可能となっていることを特徴とするスライドロック装置。
【請求項２】
軸状の相手部材との対向部位に軸方向と交差するテーパ手段が設けられたベースと、相手部材とテーパ手段とに圧接状態で挟まれることにより相手部材とベースとの相対移動を摩擦力によってロックするロック駒と、ロック駒を前記圧接方向に付勢する弾性部材とを備え、前記ロック駒は相手部材の一方向への相対移動で摩擦力が増大して当該移動に追随して回転し、反対方向への相対移動で摩擦力低減方向に移動することを特徴とするスライドロック装置。
【請求項３】
前記相手部材が円形の外面となっており、前記ロック駒は相手部材の外面と略同じ曲面に形成されて相手部材の外面と接触する第１の接触面と、第１の接触面と一体となって形成され前記ベースと接触する第２の接触面とを有していることを特徴とする請求項１または２記載のスライドロック装置。
【請求項４】
前記テーパ手段は、ベースに形成されたテーパ面であることを特徴とする請求項２または３記載のスライドロック装置。
【請求項５】
前記テーパ手段は、ベースに揺動可能に取り付けられた揺動板からなり、当該揺動板をロック駒との当接方向に付勢する付勢手段がベースに設けられていることを特徴とする請求項２または３記載のスライドロック装置。
【発明の詳細な説明】
【技術分野】
【０００１】
本発明は、シャワーヘッド、電灯スタンドやマイクスタンド等の高さ調整を行うスライドロック装置に関する。
【背景技術】
【０００２】
上述した機器の高さ調整を行う従来のスライドロック装置は、特開平１０−９４８７号公報に開示されている。この従来のスライドロック装置は、支持台等に固定されるフランジ部と、フランジ部から一体的に延びた筒状部とを備え、筒状部に軸状の相手部材が貫通するようになっている。筒状部は、先端側が相手部材よりも小径となっていると共に、その先端側には、筒状部の中心線に沿った方向に複数のスリットが設けられることにより複数の弾持片が形成されている。そして、この弾持片が筒状部を貫通した相手部材を周囲から弾性的に保持することにより、相手部材を定位置で停止させるようになっている。
【０００３】
このような停止状態に対し、相手部材を上昇操作すると、弾持片が開くように変位するため、その上昇を円滑に行うことができる。また、相手部材を下降操作すると、弾持片が相手部材の外周に食い込むように変位するが、その弾性力が過大とならないため、下降させることが可能となっている。
【特許文献１】特開平１０−９４８７号公報
【発明の開示】
【発明が解決しようとする課題】
【０００４】
上述したように従来のスライドロック装置においては、定位置での相手部材の停止ロックを行うことができ、しかも、相手部材の上昇や下降を円滑に行うことが可能となっている。これに対し、近年、相手部材の昇降の際における操作フィーリングのさらなる向上やさらなる耐久性の向上が要求されている。
【０００５】
本発明は、このような要求に対応するためになされたものであり、操作フィーリングや耐久性を向上させることが可能なスライドロック装置を提供することを目的とする。
【課題を解決するための手段】
【０００６】
上記目的を達成するため、請求項１の発明のスライドロック装置は、軸状の相手部材とベースとの間にロック駒が圧接状態で挟まれることにより相手部材とベースとの相対移動がロック駒の摩擦力によってロックされ、相手部材の一方向への相対移動では、前記摩擦力が増大してロック駒が回転し、反対方向への相対移動では、摩擦力低減方向にロック駒が移動可能となっていることを特徴とする。
【０００７】
請求項１の発明では、相手部材とベースとの間に圧接状態で挟まれたロック駒の摩擦力により相手部材がベースにロックされる。これにより、相手部材を定位置で停止させることができる。この停止状態に対し、相手部材を一方向に相対移動させると、ロック駒の摩擦力が増大するため、適度な抵抗感を有しながらその移動を行うことができる。一方、相手部材を反対方向に相対移動させると、ロック駒が移動して摩擦力が低減するため、軽快に移動させることができる。従って、一方向には、適度な抵抗で移動させることができ、反対方向には、軽快に移動させることができるため、操作フィーリングが格段に向上する。
【０００８】
また、相手部材の一方向への相対移動では、増大した摩擦力によってロック駒が回転し、この回転によって相手部材との接触部分が移動するため、摩耗を抑制することができる。このため、耐久性を向上させることが可能となる。
【０００９】
請求項２の発明のスライドロック装置は、軸状の相手部材との対向部位に軸方向と交差するテーパ手段が設けられたベースと、相手部材とテーパ手段とに圧接状態で挟まれることにより相手部材とベースとの相対移動を摩擦力によってロックするロック駒と、ロック駒を前記圧接方向に付勢する弾性部材とを備え、前記ロック駒は相手部材の一方向への相対移動で摩擦力が増大して当該移動に追随して回転し、反対方向への相対移動で摩擦力低減方向に移動することを特徴とする。
【００１０】
請求項２の発明では、弾性部材がロック駒を圧接方向に付勢するため、ロック駒の摩擦力によって相手部材の相対移動をロックでき、相手部材を定位置で停止させることができる。この発明では、ベースにテーパ手段を設け、このテーパ手段と相手部材との間にロック駒を挟持するため、ロック駒の摩擦力を効率良く且つ良好に発生させることができ、相手部材の停止を確実に行うことができる。
【００１１】
また、この発明においても、相手部材を一方向に相対移動させると、ロック駒の摩擦力が増大するため、適度な抵抗感を有しながらその移動を行うことができ、相手部材を反対方向に相対移動させると、ロック駒が移動して摩擦力が低減するため、軽快に移動させることができる。従って、一方向に対しては、適度な抵抗で移動させることができ、反対方向には、軽快に移動させることができるため、操作フィーリングが格段に向上する。さらに、相手部材の一方向への相対移動では、ロック駒が回転するため、摩耗を抑制することができ、耐久性を向上させることができる。
【００１２】
請求項３の発明は、請求項１または２記載のスライドロック装置であって、前記相手部材が円形の外面となっており、前記ロック駒は相手部材の外面と略同じ曲面に形成されて相手部材の外面と接触する第１の接触面と、第１の接触面と一体となって形成され前記ベースと接触する第２の接触面とを有していることを特徴とする。
【００１３】
請求項３の発明では、第１の接触面が相手部材の外面と接触し、第２の接触面がベースと接触するため、相手部材に摩擦力を確実に作用させることができる。また、この発明では、円柱、円筒等の円形の外面を有した相手部材に好適に適用することができる。
【００１４】
請求項４の発明は、請求項２または３項記載のスライドロック装置であって、前記テーパ手段は、ベースに形成されたテーパ面であることを特徴とする。
【００１５】
請求項４の発明は、ベースにテーパ面を形成するだけでテーパ手段とすることができるため、テーパ手段を簡単に設けることができる。
【００１６】
請求項５の発明は、請求項２または３記載のスライドロック装置であって、前記テーパ手段は、ベースに揺動可能に取り付けられた揺動板からなり、当該揺動板をロック駒との当接方向に付勢する付勢手段がベースに設けられていることを特徴とする。
【００１７】
請求項５の発明では、付勢手段が揺動板を付勢することにより、テーパ手段とすることができる。この発明では、付勢手段の付勢力を調整することにより、テーパ手段のロック駒への圧接力を変更できるため、汎用性のあるものとすることができる。
【発明の効果】
【００１８】
本発明のスライドロック装置によれば、相手部材を一方向に相対移動させることによりロック駒の摩擦力が増大するため、適度な抵抗感を有しながら移動を行うことができる一方、相手部材を反対方向に相対移動させることによりロック駒の摩擦力が低減するため、軽快に移動させることができる。このため、操作フィーリングを格段に向上させることができる。また、相手部材の一方向への相対移動では、ロック駒が回転するため、摩耗を抑制することができ、耐久性を向上させることができる。
【発明を実施するための最良の形態】
【００１９】
以下、本発明を図示する実施の形態により具体的に説明する。なお、各実施の形態において、同一の部材には同一の符号を付して対応させてある。
【００２０】
（実施の形態１）
図１〜図６は、本発明の実施の形態１におけるスライドロック装置を示し、図１は図３のＢ−Ｂ線における縦断面図、図２は図１のＡ−Ａ線における平面からの断面図、図３は平面図、図４は正面図、図５はロック駒の正面図、図６はロック駒の作用を示す拡大断面図である。
【００２１】
この実施の形態のスライドロック装置１は、図１及び図２に示すように、ベース２と、ロック駒３と、弾性部材としての圧縮ばね４と、カバー５とを備えている。
【００２２】
ベース２は、軸状の相手部材６が挿入されるものであり、このための挿入孔２ａが軸方向に貫通している。ベース２は、相手部材６の長さ方向に沿って延びる筒状部２ｂと、大径となって筒状部２ｂの上端部に一体的に形成されたヘッド部２ｃとを備えている。この実施の形態のスライドロック装置１は、円形の外面となっている相手部材６に適用するものであり、このため、挿入孔２ａは円形孔となっている。筒状部２ｂの外周面には、雄ねじからなるねじ部２ｄが形成されており、このねじ部２ｄにナット４０を螺合させることによりテーブル、机あるいは取付ブラケット等の支持部材４１に固定される（図１１及び図１２参照）。
【００２３】
ベース２のヘッド部２ｃの内部には、テーパ手段としてのテーパ面７が形成されている。テーパ面７は、ヘッド部２ｃにおける相手部材６との対向部位に形成されるものであり、筒状部２ｂから離れるにつれて径が漸増する傾斜となっており、これによりテーパ面７は軸状の相手部材６と交差するように形成されている。このような傾斜のテーパ面７を設けることにより、テーパ面７と相手部材６との間には、Ｖ字形の隙間が形成され、このＶ字形の隙間にロック駒３がセットされる。なお、テーパ面７は円周上の３等分位置となるように形成されるものである。
【００２４】
ロック駒３は、それぞれのテーパ面７に載置されることにより、ベース２（テーパ面７）と相手部材６との間に挟まれた状態となっている。各テーパ面７上に載置されることにより、ロック駒３は相手部材６に対し、円周上の３等分位置に配置されるようになっている。このように円周上の３等分位置に配置されることにより、ロック駒３は円周上の等分位置から均等に相手部材６と接触することができる。このロック駒３は、相手部材６の外面と接触すると共に、テーパ面７と接触する立体形状に成形されるものである。
【００２５】
図５及び図６は、ロック駒３を示し、相手部材６と接触する第１の接触面３ａと、テーパ面７と接触する第２の接触面３ｂとを有している。第１の接触面３ａは、相手部材６の円形の外面と略同じ曲率を有した曲面となっており、第２の接触面３ｂは第１の接触面３ａの長さ方向の両端部に一体的に連設した状態で形成されている。このような接触面３ａ、３ｂを有することにより、ロック駒３は中央部分がくびれた外形が鼓形状となっている。
【００２６】
このようなロック駒３は、相手部材６とテーパ面７とに挟まれた状態で、後述する圧縮ばね４によって付勢されることにより相手部材６及びテーパ面７に圧接するようになっている。また、ロック駒３は相手部材６とテーパ面７とに挟まれた状態で回転可能となっていると共に、相手部材６の長さ方向に沿って移動可能となっている。
【００２７】
ベース２におけるヘッド部２ｃには、上端が開放されたばね収容空間２ｅが形成されており、このばね収容空間２ｅ内に弾性部材としての圧縮ばね４が挿入される。圧縮ばね４は、一定量撓んだ状態でヘッド部２ｃのばね収容空間２ｅに挿入されるものである。圧縮ばね４の挿入に先立って、ばね収容空間２ｅにはワッシャ等の押圧板８が挿入され、挿入された押圧板８はロック駒３の第２の接触面３ｂに上方から当接する（図６参照）。これにより、圧縮ばね４の付勢力が押圧板８を介してロック駒３に作用するため、ロック駒３をテーパ面７と相手部材６とに圧接した状態とすることができる。
【００２８】
カバー５は、ベース２のヘッド部２ｃを覆った状態でヘッド部２ｃに被せられる。この場合、ヘッド部２ｃの外面には係合溝２ｆが形成され、これと対応したカバー５には係合突起５ａが形成されており、係合突起５ａが係合溝２ｆに係合することによりカバー５がヘッド部２ｃに固定される。この固定により、圧縮ばね４が撓んだ状態を維持することができる。なお、カバー５には、相手部材６が貫通するものである。
【００２９】
次に、この実施の形態の作用を説明する。図１に示すセット状態では、第１の接触面３ａが相手部材６の外面に接触し、第２の接触面３ｂがテーパ面７及び押圧板８に接触した状態でロック駒３が楔のようにＶ字形の隙間に入り込んでいる（図６参照）。これに対し、カバー５をベース２に取り付けた状態では、圧縮ばね４が撓んだ状態を保持するため、押圧板８を介してロック駒３を相手部材６及びテーパ面７に圧接する。このため、ロック駒３は摩擦力によって相手部材６をロックしており、相手部材６は定位置で停止した状態となることができる。
【００３０】
この状態に対し、相手部材６を下降操作すると、ロック駒３がテーパ面７に沿ってＶ字形の隙間の奥に入り込むため、ロック駒３は相手部材６に強く押し付けられる。これにより、相手部材６との摩擦力が増大するため、ロック駒３は相手部材６の移動に追随して回転する。これと同時に、相手部材６は適度な抵抗感を有しながら下降する。
【００３１】
一方、相手部材６を上昇操作すると、第１の接触面３ａが相手部材６の外面と接触しているロック駒３は、相手部材６との摩擦力によって相手部材６と共に上昇しようとする。この作動により、押圧板８を介して圧縮ばね４が撓むため、ロック駒３の上昇が可能となり、ロック駒３はテーパ面７に沿って移動してＶ字形の隙間から抜け出す。これにより、ロック駒３による楔効果がなくなって摩擦力が低減するため、相手部材６を軽い力で軽快に上昇させることができる。
【００３２】
相手部材６に対する上昇操作を解除すると、圧縮ばね４の付勢力により、ロック駒３がＶ字形の隙間に入り込んで、テーパ面７及び相手部材６に圧接する。これにより、ロック駒３の摩擦力によって相手部材６がロックされるため、相手部材６はその上昇位置で停止した状態となることができる。
【００３３】
このような実施の形態では、相手部材６の下降操作で、適度な抵抗感で下降させることができると共に、相手部材６の上昇操作で、軽快に上昇させることができる。このため、相手部材６の操作フィーリングを向上させることができる。
【００３４】
また、相手部材の下降操作では、ロック駒３が回転するため、第１の接触面３ａにおける相手部材６との接触部分が移動する。これにより、ロック駒３の摩耗を抑制することができ、耐久性を向上させることができる。
【００３５】
（実施の形態２）
図７〜図１０は、本発明の実施の形態２のスライドロック装置１１を示し、図７はその縦断面図、図８は図７のＣ−Ｃ線における平面からの断面図、図９は図７のＤ−Ｄ線における断面図、図１０は作動を示す縦断面図である。
【００３６】
この実施の形態のスライドロック装置１１においては、実施の形態１におけるベース２、弾性部材としての圧縮ばね４、鼓形状のロック駒３及びカバー５を用いるが、テーパ手段としては、揺動板１３を用いるものである。
【００３７】
揺動板１３は、円周上の３等分位置となるようにベース２におけるヘッド部２ｃに配置されている。ロック駒３は、この揺動板１３と対応するように、揺動板１３と軸状の相手部材６との間に配置される。
【００３８】
揺動板１３は、ヘッド部２ｃに対しピン１４を介して取り付けられることにより、ヘッド部２ｃ内で揺動可能となっている。この場合、ヘッド部２ｃにおける円周上の３等分位置に板用スリット１７を形成し（図９参照）、この板用スリット１７内に揺動板１３を挿入することにより、揺動板１３は板用スリット１７内で揺動するようになっている。揺動板１３の相手部材６方向への揺動により、揺動板１３は傾斜状態となってロック駒３に当接する。この傾斜は、ベース２の筒状部２ｂから離れるにつれて相手部材６から徐々に遠ざかるようになっており、これにより揺動板１３と相手部材６との間には、Ｖ字形の隙間が形成される。なお、揺動板１３における相手部材６方向への揺動は、ベース２のヘッド部２ｃの内部に設けたストッパ凸部２ｈに当接することにより停止するようになっている。
【００３９】
以上に加えて、この実施の形態では揺動板１３を相手部材６方向に付勢する付勢手段としてのコイルばね１５が配置されている。コイルばね１５は、それぞれの揺動板１３と対応するようにベース２におけるヘッド部２ｃの内部に取り付けられている。それぞれのコイルばね１５の付勢力により、揺動板１３は上述した傾斜状態となって相手部材６との間にＶ字形の隙間を形成する。
【００４０】
この実施の形態において、圧縮ばね４の付勢力によりロック駒３がＶ字形の隙間に入り込んで楔作用を行うため、ロック駒３の摩擦力によって相手部材６を定位置で停止させることができる。
【００４１】
この状態に対し、相手部材６を下降操作すると、ロック駒３がＶ字形の隙間の奥に入り込むため、ロック駒３は相手部材６に強く押し付けられる。これにより、相手部材６とロック駒３との摩擦力が増大し、相手部材６は適度の抵抗感を有しながら下降することができる。このとき、ロック駒３は相手部材６の移動に追随して回転しながら下降する。このロック駒３の下降により、揺動板１３はピン１４を中心にして外側に向かって揺動し、コイルばね１５に圧縮力を作用させる。
【００４２】
この実施の形態において、コイルばね１５の付勢力を揺動板１３の揺動力よりも小さく設定することができる。このように設定することにより、コイルばね１５は揺動板１３によって圧縮するため、揺動板１３は図１０に示すように、略垂直状態となる。従って、相手部材６との間のＶ字形の隙間が消失してロック駒３による楔効果がなくなり、相手部材６を小さな力で下降させることができる。これにより、この実施の形態では、相手部材６を降下させる当初は、適度の抵抗感で降下するが、その後は、抵抗感がない小さな力での軽快な降下を行うことができる。これにより、相手部材６の降下操作のフィーリングを向上させることができる。
【００４３】
次に、相手部材６への下降操作を解除すると、圧縮されたコイルばね１５の付勢力によって揺動板１５が内側方向に揺動して復帰し、これによりロック駒３を相手部材６に圧接する。このため、相手部材６はロック駒３の摩擦力により、その下降位置で停止した状態となることができる。
【００４４】
また、図１０の状態に対し、連続的に相手部材６を上昇操作すると、ロック駒３は下降操作時とは逆方向に回転しながら相手部材６と共に上昇する。このため、図７に示す状態に復帰し、相手部材６の停止が可能となる。
【００４５】
図７の状態から相手部材６をさらに上昇操作すると、相手部材６との摩擦力によってロック駒３に上昇力が作用する。この作用によって、押圧板８を介して圧縮ばね４が撓むため、ロック駒３の上昇が可能となり、Ｖ字形の隙間から抜け出す。これにより、ロック駒３による楔効果がなくなって摩擦力が低減するため、相手部材６を軽い力で軽快に上昇させることができる。従って、相手部材６の上昇操作を良好なフィーリングで行うことができる。
【００４６】
以上に加えて、この実施の形態においても、相手部材６の下降操作では、ロック駒３が回転して、第１の接触面３ａにおける相手部材６との接触部分が移動するため、ロック駒３の摩耗を抑制することができ、耐久性を向上させることができる。
【００４７】
（実施の形態３）
この実施の形態では、実施の形態１のスライドロック装置１の適用例を示すものである。図１１は、電灯スタンド２１の適用を示し、図１２はシャワーヘッド２２への適用を示す。これらの図において、スライドロック装置１はテーブルや取付ブラケット等の支持部材４１に取り付けられるものである。この取り付けは、ナット４０を筒状部２ｂのねじ部２ｄに螺合させて、ナット４０とヘッド部２ｃとによって支持部材４１を挟持することにより行うことができる。
【００４８】
支持部材４１が取り付け状態で、上述した良好なフィーリングの昇降操作を行うことにより、実線状態及び鎖線状態の間で移動させることができ、これにより電灯スタンド２１やシャワーヘッド２２の使用上の便利性が向上する。
【００４９】
本発明は、以上の実施の形態に限定されることなく、種々変形が可能である。例えば、図１及び図７の状態と逆さとなるようにベース２を配置して相手部材６に対するベース２の位置を逆にしても良い。これにより、相手部材６の下降操作を軽快に行うことができる一方、相手部材６の上昇操作を適度な抵抗感で行うことが可能となる。また、ロック駒３の外面を粗く加工したり、コーティング処理したり、ローレット加工等を施すことにより、ロック駒３の摩擦力を増大させても良い。さらに、ロック駒３の数を１個、２個或いは４個以上等の３個以外としても良い。これにより、その摩擦力を調整することが可能となる。さらに、また、相手部材６としては、円形の外面である必要がなく、四角等の多角形の外面であっても良い。この場合には、ロック駒３を多角形の角部に合わせた形状とすることにより、同様に作動することができる。
【図面の簡単な説明】
【００５０】
【図１】本発明の実施の形態１におけるスライドロック装置の図３におけるＢ−Ｂ線の縦断面図である。
【図２】図１におけるＡ−Ａ線断面図である。
【図３】実施の形態１におけるスライドロック装置の平面図である。
【図４】実施の形態１におけるスライドロック装置の正面図である。
【図５】ロック駒の正面図である。
【図６】ロック装置の作用を示す拡大断面図である。
【図７】本発明の実施の形態２におけるスライドロック装置の縦断面図である。
【図８】図７におけるＣ−Ｃ線断面図である。
【図９】図７におけるＤ−Ｄ線断面図である。
【図１０】実施の形態２におけるスライドロック装置の作動を示す縦断面図である。
【図１１】電気スタンドに適用した状態を示す部分破断正面図である。
【図１２】シャワーヘッドに適用した状態を示す部分破断側面図である。
【符号の説明】
【００５１】
１，１１    スライドロック装置
２    ベース
３    ロック駒
３ａ    第１の接触面
３ｂ    第２の接触面
４    圧縮ばね
５    カバー
６    相手部材
７    テーパ面
１３    揺動板
１５    コイルばね
【図１】
2005180491.tif 000003
【図２】
2005180491.tif 000004
【図３】
2005180491.tif 000005
【図４】
2005180491.tif 000006
【図５】
2005180491.tif 000007
【図６】
2005180491.tif 000008
【図７】
2005180491.tif 000009
【図８】
2005180491.tif 000010
【図９】
2005180491.tif 000011
【図１０】
2005180491.tif 000012
【図１１】
2005180491.tif 000013
【図１２】
2005180491.tif 000014